【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】下部コア層、上部コア層、及び記録媒体との対向面側の端部で下部コア層と上部コア層の間に介在する磁気ギャップ層を有する記録用ヘッド素子と；通電により発熱し、該発熱により前記磁気ギャップ層周辺を膨張させて記録媒体側に突出させる発熱体と；を備えた薄膜磁気ヘッドにおいて、
前記発熱体を通電するための配線を、前記記録用ヘッド素子及び該発熱体よりもギャップデプス方向奥側に設けたことを特徴とする薄膜磁気ヘッド。
【請求項２】請求項１記載の薄膜磁気ヘッドにおいて、前記発熱体は、前記記録用ヘッド素子のギャップデプス方向奥側に配置されている薄膜磁気ヘッド。
【請求項３】請求項１または２記載の薄膜磁気ヘッドにおいて、前記発熱体は、前記磁気ギャップ層と同一平面上に形成されている薄膜磁気ヘッド。
【請求項４】請求項１または２記載の薄膜磁気ヘッドにおいて、前記発熱体は、前記上部コア層と同一平面上に形成されている薄膜磁気ヘッド。
【請求項５】請求項１または２記載の薄膜磁気ヘッドにおいて、平坦化表面を有する保護層を前記上部コア層上に備え、この保護層表面上に前記発熱体が形成されている薄膜磁気ヘッド。
【請求項６】  請求項１または２記載の薄膜磁気ヘッドにおいて、前記記録用ヘッド素子は、下部シールド層、下部ギャップ層、磁気抵抗効果素子及び上部ギャップ層を少なくとも有する再生用ヘッド素子の上に積層されていて、前記発熱体は、前記下部ギャップ層と同一平面上に形成されている薄膜磁気ヘッド。
【請求項７】  請求項１ないし６のいずれか一項に記載の薄膜磁気ヘッドにおいて、前記発熱体は、下から順に断熱層と発熱層を積層して形成されている薄膜磁気ヘッド。
【請求項８】  請求項１ないし７のいずれか一項に記載の薄膜磁気ヘッドにおいて、前記発熱体は、１μｍ以上の膜厚を有している薄膜磁気ヘッド。
【手続補正２】
【補正対象書類名】明細書
【補正対象項目名】０００８
【補正方法】変更
【補正の内容】
【０００８】
すなわち、本発明は、下部コア層、上部コア層、及び記録媒体との対向面側の端部で下部コア層と上部コア層の間に介在する磁気ギャップ層を有する記録用ヘッド素子と；通電により発熱し、該発熱により磁気ギャップ層周辺を膨張させて記録媒体側に突出させる発熱体と；を備えた薄膜磁気ヘッドにおいて、発熱体を通電するための配線を、記録用ヘッド素子及び該発熱体のギャップデプス方向奥側に設けたことを特徴としている。
【手続補正３】
【補正対象書類名】明細書
【補正対象項目名】０００９
【補正方法】変更
【補正の内容】
【０００９】
発熱体は、記録用ヘッド素子のギャップデプス方向奥側に配置されていることが好ましい。
【手続補正４】
【補正対象書類名】明細書
【補正対象項目名】００１４
【補正方法】変更
【補正の内容】
【００１４】
発熱体は、通電時により多くの熱量を得られるように、１μｍ以上の膜厚で形成することが好ましい。具体的には、例えばフレームメッキ法を用いて、１μｍ〜１０μｍ程度の厚い膜厚で形成される。
【手続補正５】
【補正対象書類名】明細書
【補正対象項目名】００２９
【補正方法】変更
【補正の内容】
【００２９】
以上の薄膜磁気ヘッド１００は、さらに、記録用ヘッド素子Ｗのデプス方向奥側に位置させて、発熱体Ｈ（Ｈ１）を備えている。発熱体Ｈ１は、上述した磁気ギャップ層８と同一平面上（下部コア層７上）にデプス方向に長く延びて形成されており、図２に示される電極パッド層Ｅ５、Ｅ６及び発熱体用リード層１９を介して通電されたときに発熱する。発熱体用リード層１９は、発熱体Ｈ１及び記録用ヘッド素子Ｗよりデプス方向奥側に設けられており、発熱体Ｈ１をデプス方向奥側から通電する。この電極パッド層Ｅ５、Ｅ６及び発熱体用リード層１９は、電気抵抗の小さいＣｕ等の導電材料により形成されている。
【手続補正６】
【補正対象書類名】明細書
【補正対象項目名】００３５
【補正方法】変更
【補正の内容】
【００３５】
発熱体Ｈ２は、第１非磁性絶縁層１２を貫通する導電性のコンタクト部２０１を介して図２に示される発熱体用リード層１９に電気的に接続され、この発熱体用リード層１９及び電極パッド層Ｅ５、Ｅ６を介して通電されたときに発熱する。発熱体用リード層１９は、第１実施形態と同様に、発熱体Ｈ２及び記録用ヘッド素子Ｗよりデプス方向奥側に設けられており、発熱体Ｈ２をデプス方向奥側から通電する。発熱体Ｈ２が発熱すると、発生された熱の大部分が発熱体Ｈ２から記録用ヘッド素子Ｗ及びＡＢＳ面側に向かって伝わり、該発熱体Ｈ２と同一平面上に位置する上部コア層９とその周辺（磁気ギャップ層８及び下部コア層７）を集中的に温める。この結果、絶縁性保護層１８よりも熱膨張係数の大きい上部コア層９、磁気ギャップ層８及び下部コア層７が熱膨張する。すなわち、図６に点線で示されるように、上部コア９付近（下部コア層７、磁気ギャップ層８及び上部コア層９）が記録媒体側に突出する。このように第２実施形態によっても、磁気ギャップ層８と記録媒体との距離が小さくなり、書込み時の出力を向上させることができる。
【手続補正７】
【補正対象書類名】明細書
【補正対象項目名】００３９
【補正方法】変更
【補正の内容】
【００３９】
発熱体Ｈ３は、絶縁性保護層１８から第１非磁性絶縁層１２を貫通する導電性のコンタクト部３０１を介して図２に示される発熱体用リード層１９に電気的に接続され、この発熱体用リード層１９及び電極パッド層Ｅ５、Ｅ６を介して通電されたときに発熱する。発熱体用リード層１９は、第１実施形態と同様に、発熱体Ｈ３及び記録用ヘッド素子Ｗよりデプス方向奥側に設けられており、発熱体Ｈ３をデプス方向奥側から通電する。発熱体Ｈ３から発生された熱は、発熱体Ｈ３から記録用ヘッド素子Ｗ及びＡＢＳ面側に向かって伝わり、この結果、絶縁性保護層１８に覆われた上部コア層９とその周辺（磁気ギャップ層８及び下部コア層７）が集中的に温められる。すると、絶縁性保護層１８よりも熱膨張係数の大きい上部コア層９、磁気ギャップ層８及び下部コア層７が熱膨張し、図８に点線で示されるように、上部コア９付近（下部コア層７、磁気ギャップ層８及び上部コア層９）が記録媒体側に突出する。このように第３実施形態によっても磁気ギャップ層８と記録媒体との距離が小さくなり、書込み時の出力を向上させることができる。
【手続補正８】
【補正対象書類名】明細書
【補正対象項目名】００４３
【補正方法】変更
【補正の内容】
【００４３】
発熱体Ｈ４は、コンタクト部４０１及び発熱体用リード層１９を介して通電されたときに発熱する。発熱体用リード層１９は、第１実施形態と同様に、発熱体Ｈ４及び記録用ヘッド素子Ｗよりデプス方向奥側に設けられており、発熱体Ｈ４をデプス方向奥側から通電する。発熱体Ｈ４から発生された熱は、再生用ヘッド素子Ｒ及び記録用ヘッド素子Ｗのデプス方向奥側からＡＢＳ面側に向かって伝わると共に基板１側に逃げていくため、図１０に点線で示されるように、下部コア層７付近（下部コア層７、磁気ギャップ層８及び上部コア層９）が記録媒体側に突出する。このように第４実施形態によっても磁気ギャップ層８と記録媒体との距離が小さくなり、書込み時の出力を向上させることができる。
【手続補正９】
【補正対象書類名】明細書
【補正対象項目名】００４５
【補正方法】変更
【補正の内容】
【００４５】
第５実施形態による薄膜磁気ヘッド５００には、第１実施形態の発熱体Ｈ１の替わりに、断熱層５０１と発熱層５０２とが積層された発熱体Ｈ（Ｈ５）が備えられている。発熱体Ｈ５は、第１実施形態と同様、磁気ギャップ層８と同一平面上（下部コア層７上）にデプス方向に長く延びて形成されていて、図２に示される電極パッドＥ５、Ｅ６及び発熱体用リード層１９を介して通電されると発熱層５０２が発熱する。発熱体用リード層１９は、第１実施形態と同様に、発熱体Ｈ５及び記録用ヘッド素子Ｗよりデプス方向奥側に設けられており、発熱体Ｈ５をデプス方向奥側から通電する。本実施形態では発熱体Ｈ５に断熱層５０１が備えられているので、発熱層５０２から発生された熱を基板１側に逃がすことなく、より大きな熱量を磁気ギャップ層８、下部コア層７及び上部コア層９に与えることができる。これにより、磁気ギャップ層８、下部コア層７及び上部コア層９の突出量を増大させることができる。
【手続補正１０】
【補正対象書類名】明細書
【補正対象項目名】００４７
【補正方法】変更
【補正の内容】
【００４７】
以上の各実施形態では、記録用ヘッド素子Ｗよりもデプス方向奥側に発熱体Ｈ（Ｈ１〜Ｈ５）及びその配線が備えられている。よって、発熱体Ｈから発生された熱は該発熱体ＨからＡＢＳ面側に向かって伝わり、最も突出させたい磁気ギャップ層８の周辺（下部コア層７、磁気ギャップ層８及び上部コア層９）が集中的に温められる。この結果、磁気ギャップ層８の周辺が効率良く記録媒体側に突出し、磁気ギャップ層と記録媒体の距離が小さくなって書込み時の出力が向上する。
【手続補正１１】
【補正対象書類名】明細書
【補正対象項目名】００５１
【補正方法】変更
【補正の内容】
【００５１】
【発明の効果】
本発明によれば、記録用ヘッド素子よりもデプス方向奥側に発熱体及びその配線が備えられているので、発熱体からＡＢＳ面側に向かって放熱され、最も突出させたい磁気ギャップ層の周辺を集中的に温めることができる。これにより、磁気ギャップ層の周辺を効率良く記録媒体側に突出させることでき、磁気ギャップ層と記録媒体との距離を縮めて書込み時の出力を向上させることができる。また本発明によれば、発熱体が、磁気ギャップ層と同一平面上、上部コア層と同一平面上、保護層表面上、及び下部ギャップ層と同一平面上のいずれに配置されていても、磁気ギャップ層の周辺を効率良く記録媒体側に突出させることできるので、下部コア層と上部コア層の間に発熱体を配置する場合よりも設計自由度が高くなる。